(57)【特許請求の範囲】
【請求項１】
着座部と、該着座部が回動可能に取付けられた支持フレームと、を備え、前記着座部には、前記着座部をほぼ水平状態の着座位置からほぼ垂直状態の収納位置へ自動的に回動させる錘部が設けられ、前記着座部の左右側端部には、前記着座部が前記着座位置から収納位置まで回動するのに伴い回動して前記着座部の位置決めをする位置決め材が取付けられ、
前記支持フレームには、その左右両端にそれぞれ縦壁が立設されるとともに、各縦壁の上方には左右一対の支持部が設けられており、
前記左右一対の支持部には各々ストッパー部が相対向するようにして設けられ、前記位置決め材が前記ストッパー部に当接することにより、前記着座部が前記着座位置または収納位置に位置決めされるようになされていると共に、前記左右のストッパー部には、その下方側に下側開口が形成され、前記左右のストッパー部の相対向した側面側に横側開口が形成されて、前記着座部に取付けられた位置決め材が前記ストッパー部の下側開口からストッパー部内に挿入可能となされ、前記位置決め材が前記支持フレームに回動可能に取付けられていることを特徴とする自動収納ベンチユニット。
【請求項２】
前記着座部の左右端部には、前記ストッパー部の横側開口を塞ぐ蓋材が取付けられていることを特徴とする請求項１に記載の自動収納ベンチユニット。
【請求項３】
請求項１または２に記載の自動収納ベンチユニットが支持体に取付けられて形成されていることを特徴とする自動収納ベンチ。
【発明の詳細な説明】
【技術分野】
【０００１】
本発明は、着座部がほぼ水平状態の着座位置からほぼ垂直状態の収納位置へ自動的に回動されて収納される自動収納ベンチユニット及びそれを用いた自動収納ベンチに関するものである。
【背景技術】
【０００２】
従来、自動収納ベンチユニット及びそれを用いた自動収納ベンチとしては、例えば、互いに間隔を置いて設けられ上部棒部材（４）により連結された少なくとも一対の支柱（１）と、前記各支柱（１）に回動自在に軸支され、かつ、前記各支柱（１）間で前記上部棒部材（４）の下方に位置する枠状ベンチ体（５）と、前記枠状ベンチ体（５）を腰掛位置に保持するためのストッパ手段（２０，２１）と、前記枠状ベンチ体（５）を前記腰掛位置から垂直又は垂直に近い位置に復帰させるための復帰手段である重り体（１０）とを備え、前記枠状ベンチ体（５）は、非使用時には垂直又は垂直に近い状態に位置すると共に、前記ストッパ手段（２０，２１）は、前記支柱（１）の側部に形成された弧状溝（２０）と、前記枠状ベンチ体（５）の一端に設けられ前記弧状溝（２０）に係合するピン（２１）とよりなり、前記弧状溝（２０）の両端壁（２０ａ，２０ｂ）に前記ピン（２１）が当接するように構成した収納ベンチ付横断防止柵が開示されている。（特許文献１の請求項１参照）
【先行技術文献】
【特許文献】
【０００３】
【特許文献１】特開２００２−０１３１１２号公報
【発明の概要】
【発明が解決しようとする課題】
【０００４】
上記従来の収納ベンチ付横断防止柵は、前記各支柱１間で、かつ、前記上部棒部材４の下方位置には、全体形状が四角体形をなす枠状ベンチ体５が前記各支柱１の内側もしくは両側に形成された軸支部６によって回動自在に設けられており、前記軸支部６は、前記支柱１の内側もしくは両側に形成された凹穴６ａによって形成され、この凹穴６ａ内にアンダー棒部材９の端部が回動自在に挿入・保持されていることによって、枠状ベンチ体５がこのアンダー棒部材９を中心として回動するように構成されている。（特許文献１の段落０００７，０００８参照）
【０００５】
このため、上記収納ベンチ付横断防止柵を設置場所に設置する際には、一対の前記支柱に形成された凹穴６ａにアンダー棒部材９の両端部を挿入すると共に、前記枠状ベンチ体５の左右両端に配置された各アーム７の前記アンダー棒部材９が保持される保持部７ａの外側位置に外方へ向けて突出されているピン２１を前記凹穴６ａの近傍に形成された弧状溝２０内に係合する必要があるので、一対の前記支柱１を地面のコンクリート土台２上にボルト３で植立・固定する前に、地面に上記各部材を横倒しにした状態で、前記凹穴６ａに前記アンダー棒部材９の両端部を挿入し、かつ前記ピン２１を前記弧状溝２０内に係合しておき、その状態で仮組されたものを組み立て作業者が複数名で立て起こし、前記支柱１を地面のコンクリート土台２上にボルト３で固定するか、または一対の前記支柱１のうち一方の支柱を地面のコンクリート土台２上にボルト３で植立・固定させた後、他方の支柱をコンクリート土台２に斜めになるように作業者が保持した状態で、別の作業者が前記凹穴６ａに前記アンダー棒部材９の両端部を挿入し、かつ前記ピン２１を前記弧状溝２０内に係合させながら、斜めになされていた前記他方の支柱をコンクリート土台２に直立させボルト３で固定すると言う組み立てをしなければならず、その組み立て作業が効率の良いものとは言えなかった。
【０００６】
そこで本発明は前記課題に鑑み、効率よく組み立て作業ができる自動収納ベンチユニット及びそれを用いた自動収納ベンチを提供せんとするものである。
【課題を解決するための手段】
【０００７】
上記目的を達成するために、本発明は次のような構成としている。
すなわち、本発明に係る自動収納ベンチユニットは、着座部と、該着座部が回動可能に取付けられた支持フレームと、を備え、前記着座部には、前記着座部をほぼ水平状態の着座位置からほぼ垂直状態の収納位置へ自動的に回動させる錘部が設けられ、前記着座部の左右側端部には、前記着座部が前記着座位置から収納位置まで回動するのに伴い回動して前記着座部の位置決めをする位置決め材が取付けられ、前記支持フレームには、その左右両端にそれぞれ縦壁が立設されるとともに、各縦壁の上方には左右一対の支持部が設けられており、前記左右一対の支持部には各々ストッパー部が相対向するようにして設けられ、前記位置決め材が前記ストッパー部に当接することにより、前記着座部が前記着座位置または収納位置に位置決めされるようになされていると共に、前記左右のストッパー部には、その下方側に下側開口が形成され、前記左右のストッパー部の相対向した側面側に横側開口が形成されて、前記着座部に取付けられた位置決め材が前記ストッパー部の下側開口からストッパー部内に挿入可能となされ、前記位置決め材が前記支持フレームに回動可能に取付けられていることを特徴とするものである。
【０００８】
また本発明に係る自動収納ベンチユニットは、前記着座部の左右端部に、前記ストッパー部の横側開口を塞ぐ蓋材が取付けられていることを特徴とするものである。
【０００９】
また本発明に係る自動収納ベンチは、前記自動収納ベンチユニットが支持体に取付けられて形成されていることを特徴とするものである。
【発明の効果】
【００１０】
本発明に係る自動収納ベンチユニットによれば、着座部と、該着座部が回動可能に取付けられた支持フレームと、を備え、前記着座部には、前記着座部をほぼ水平状態の着座位置からほぼ垂直状態の収納位置へ自動的に回動させる錘部が設けられ、前記着座部の左右側端部には、前記着座部が前記着座位置から収納位置まで回動するのに伴い回動して前記着座部の位置決めをする位置決め材が取付けられ、前記支持部にはストッパー部が相対向して設けられ、前記位置決め材が前記ストッパー部に当接することにより、前記着座部が前記着座位置または収納位置に位置決めされるようになされていると共に、前記ストッパー部には、その下方側に下側開口が形成され、その相対向した側面側に横側開口が形成されて、前記着座部に取付けられた位置決め材が前記ストッパー部の下側開口からストッパー部内に挿入可能となされ、前記位置決め材が前記支持フレームに回動可能に取付けられているようにしているので、前記位置決め材が取付けられた着座部を、前記ストッパー部の下側開口からストッパー内部に挿入し、前記支持フレームに固定するだけで、前記自動収納ベンチユニットを組み立てることができるため、組み立て作業を非常に効率よく行うことができる。
【００１１】
本発明に係る自動収納ベンチユニットによれば、前記着座部の左右端部に、前記ストッパー部の横側開口を塞ぐ蓋材を取付けているので、ベンチの利用者などが手などを前記ストッパー部内に入れてしまい、前記位置決め材とストッパー部とで手などを挟みケガをする危険性をほぼ無くすことができる。
【００１２】
また本発明に係る自動収納ベンチによれば、前記自動収納ベンチユニットが支持体に取付けられて形成されているので、当該自動収納ベンチを効率よく組み立てることができると共に、ケガを防ぐことができるものとすることができる。
【図面の簡単な説明】
【００１３】
【図１】本発明に係る自動収納ベンチユニットの実施の一形態を示す斜視図である。
【図２】図１に示す自動収納ベンチユニットを後側から見た分解斜視図である。
【図３】図２に示す支持フレームの要部を示す拡大図である。
【図４】図２に示す着座部の要部を示す拡大図である。
【図５】図１に示す着座部に取付けられた位置決め材とストッパー部の位置関係を説明する、（ａ）は着座位置にある時の横断面図、（ｂ）は収納位置にある時の横断面図である。
【図６】本発明に係る自動収納ベンチの、（ａ）は使用状態を示す斜視図、（ｂ）は収納状態を示す斜視図である。
【発明を実施するための形態】
【００１４】
次に、本発明を実施するための形態について図面を参照し、具体的に説明する。
なお、本願に係る特許請求の範囲及び明細書の記載においては、前後左右上下の方向については、図１に示す通りとする。
図面において、Ｐは本発明に係る自動収納ベンチユニットであり、着座部１と、該着座部１が回動可能に取付けられた円柱形状の横支軸２と、該横支軸２を支持する左右一対の支持部３１を備えた支持フレーム３と、を備えている。
【００１５】
前記着座部１は、ベンチ利用者が着座する板状の着座部本体１１と、該着座部本体１１の左右側面に取付けられた着座部支持アーム１２と、前記着座部１をほぼ水平状態の着座位置からほぼ垂直状態の収納位置へ自動的に回動させるための錘部１３と、前記着座部支持アーム１２の基端部外側面に取付けられた位置決め材１４とを備えている。
【００１６】
図１に示す通り、前記着座部１がほぼ水平状態の着座位置において、前記着座部本体１１の構成を説明する。前記着座部本体１１は、左右方向から見た側面視において横長の長方形状であって、その上面から下面に亘って設けられたる２個の縦リブＲで区切られ、３個の中空部Ｃが列設されてなるアルミ押出型材の外周に、木粉を混入した合成樹脂を設けた複合板材１１１と、その上面から下面に至る前側面の断面がほぼ半円形状に湾曲されたアルミ押出型材からなる座板前端部１１２が前記複合板材の前面に配置され形成されている。
【００１７】
また前記着座部支持アーム１２は、前記着座部本体１１の横断面形状に対応して、前側面がほぼ半円形状に湾曲された湾曲板部１２１が設けられ、その終端から後方に向けて水平板部１２２が上下に設けられるとともに、前記湾曲板部１２１と上下の前記水平板部１２２とを連結する横長の側板部１２３とを備え、前記着座部本体１１（複合板材１１１及び座板前端部１１２）の左右側端部に前記着座部支持アーム１２が嵌め込まれ、その外側からねじＮ止めによって固定されている。
【００１８】
また前記着座部支持アーム１２の側板部１２３の基端部には貫通孔１２４が穿設されて、該貫通孔１２４に前記横支軸２が挿通可能となされている。さらに前記側板部１２３は後方に延設され、前記錘部１３を取付ける錘部取付部１２５が設けられている。そして円柱形状に形成されている前記錘部１３は、前記着座部本体１１と同じ長さに形成され、前記錘部１３の左右の側端面と左右の前記着座部支持アーム１２の前記錘部取付部１２５内側面とが当接され、前記錘部取付部１２５の外側からねじＮとめされて取付けられている。
【００１９】
また前記位置決め材１４は、図４に示すように、左右方向から見た側面視において、下部から上部に向かうに従い先細りとなされているナス型形状となされ、前記着座部２が前記着座位置から収納位置まで回動するのに伴い回動して前記着座部２の位置決めをするようになされている。また後述するように、前記位置決め材１４がストッパー部３５に当接する際に、該ストッパー部３５と当接する当接面部１４１，１４２が形成されている。そして前記位置決め材１４は、前記着座部支持アーム１２の長手方向と所定の角度をなすように、前記着座部支持アーム１２の基端部外側面に、後述する蓋材１５を介して取付けられており、前記着座部支持アーム１２に形成されている貫通孔１２４と同径の通孔１４３が設けられ、前記貫通孔１２４と前記通孔１４３の軸心が一致するように、前記位置決め材１４が前記着座部支持アーム１２に取付けられて、前記横支軸２の軸心と前記位置決め材に設けられた通孔１４３の軸心とが一致するようになされている。
【００２０】
また前記着座部支持アーム１２と前記位置決め材１４の間には、円板状の蓋材１５が設けられ、後述するストッパー部３５の横側開口３５２を塞ぐようになされている。この蓋材１５によって、前記ストッパー部３５の横側開口３５２が塞がれるので、ベンチ利用者などが手などを前記ストッパー部３５内に入れてしまい、前記位置決め材１４とストッパー部３５とで手などを挟みケガをする危険性をほぼ無くすことができる。
【００２１】
次に前記支持フレーム３は、左右方向に長い長方形状の底板３２の四辺からそれぞれ縦壁３３ａ、３３ｂ、３３ｃ、３３ｄが立設され、後側の縦壁３３ｄより前側の縦壁３３ａ、左側の縦壁３３ｂ、右側の縦壁３３ｃが高く形成され、そして左右の前記縦壁３３ｂ、３３ｃの上方に左右一対の前記支持部３１が設けられている。前記支持部３１は、前記縦壁３３ｂ、３３ｃの上方に延設されてなる支持板部３４と、その内側に取付けられているストッパー部３５とを備えている。つまり、前記ストッパー部３５は前記支持部３１の上部に相対向して設けられている。そして前記ストッパー部３５は、その下方側に下側開口３５１が形成され、その相対向した側面側に横側開口３５２が形成されて、前記着座部１に取付けられた位置決め材１４が前記ストッパー部３５の下側開口３５１からストッパー部３５内に挿入可能となされている。
【００２２】
そして前記ストッパー部３５には、前記位置決め材１４が当接する位置決め材受け部３５３，３５４が前後にそれぞれ設けられて、前記位置決め材１４が前記位置決め材受け部３５３，３５４に当接することにより、前記着座部１が前記着座位置から下方に、また前記収納位置から後方に回動するのを阻止して、前記着座部１が前記着座位置または収納位置に位置決めされるようになされている。詳細には図５に示すように、前側に設けられている前記位置決め材受け部３５３に、前記位置決め材１４の当接面部１４１が当接された時、前記着座部１が前記着座位置に位置決めされ、後側に設けられている前記位置決め材受け部３５４に、前記位置決め材１４の当接面部１４２が当接された時、前記着座部１が前記収納位置に位置決めされるようになされている。
【００２３】
前記支持板部３４は、上部が半円形状に形成され、前記横支軸２を軸支するねじＮ１が挿通される軸用孔３４１が設けられている。そして前記横支軸２は、前記着座部本体１１の最後方の中空部Ｃ１に挿通され、前記着座部支持アーム１２に設けられた前記貫通孔１２４に挿通され、前記蓋部１５を貫通し、前記位置決め材に設けられた通孔１４３に挿通され、前記通孔１４３に挿入された軸受部材１６に挿通されて、前記ねじＮ１によって前記支持フレーム３に取付けられる。
【００２４】
図６は、前記自動収納ベンチユニットＰを用いて形成された自動収納ベンチ４の実施の一形態を示しており、該自動収納ベンチ４は、地面に立設した左右一対の支柱４１の上部が上段横杆４２で一体結合され逆Ｕ字形になされると共に、支柱４１間に下段横杆４３が差し渡されて結合され、前記自動収納ベンチユニットＰがその上面に取付けられる支持体である横板状のベンチユニット受け材４４が前記左右一対の支柱４１の前側面間に差し渡され、前後方向に貫通する貫通ボルトＢが前記支柱４１と前記ベンチユニット受け材４４とを貫通して、ナットが螺着され取付けられている。
【００２５】
図２に示すように、前記自動収納ベンチユニットＰの支持フレーム３の底板３２上面には２個のナット３６が取付けられており、前記ベンチユニット受け材４４には前記底板３２のナット３６の位置に対応する位置に透孔が設けられて、前記ベンチユニット受け材４４の下側からボルトが挿入され、前記ナット３６に螺入されて、前記ベンチユニット受け材４４に前記自動収納ベンチユニットＰが取付けられて、前記自動収納ベンチ４が形成されている。そして、前記ベンチユニット受け材４４に前記自動収納ベンチユニットＰが取付けられた後、倒Ｌ型の板材からなるカバー材３７が後側から挿着され、後側の前記縦壁３３ｄにねじＮにより取付けられ、前記ナット３６が隠れるようになって、外観の向上が図られている。
【００２６】
前記自動収納ベンチ４を使用する際には、収納時においてほぼ垂直状態にある前記着座部１を手で回動させ、使用位置であるほぼ水平状態まで傾倒させ着座する。そして、前記自動収納ベンチ４を使用を終える際には、離席すると、前記着座部１に設けられている前記錘部１３の自重により自動的に下方に下がり、前記着座部１がほぼ垂直状態の収納位置まで回動するようになされている。
【００２７】
図６に示す前記自動収納ベンチ４の実施形態においては、前記自動収納ベンチユニットＰの支持体が横板状のベンチユニット受け材４４として示されているが、前記自動収納ベンチ４の実施形態はこれに限定されるものではなく、例えば、円筒形の支柱にその形状に対応した取付金具を用いて前記自動収納ベンチユニットＰを取付けるものであってもよい。その場合には、前記支持体は取付金具となることは言うまでもない。
【００２８】
なお、上述している自動収納ベンチユニットＰの実施形態においては、前記横支軸２が備えられた形態を説明しているが、これに限定されるものではなく、前記ストッパー部３５内に挿入された前記位置決め材１４が前記支持フレーム３に回動可能に取付けられるようになされていればよく、必ずしも前記横支軸２が備えられていなくてもよい。
【符号の説明】
【００２９】
１      着座部
１１      着座部本体
１１１      複合板材
１１２      座板前端部
１２      着座部支持アーム
１２１      湾曲板部
１２２      水平板部
１２３      側板部
１２４      貫通孔
１２５      錘部取付部
１３      錘部
１４      位置決め材
１４１、１４２      当接面
１４３      通孔
１５      蓋材
１６      軸受部材
２      横支軸
３      支持フレーム
３１      支持部
３２      底板
３３ａ、３３ｂ、３３ｃ、３３ｄ      縦壁
３４      支持板部
３４１      軸用孔
３５      ストッパー部
３５１      下側開口
３５２      横側開口
３５３、３５４      位置決め材受け部
３６      ナット
３７      カバー材
４      自動収納ベンチ
４１      支柱
４２      上段横杆
４３      下段横杆
４４      ベンチユニット受け材
Ｐ      自動収納ベンチユニット
Ｒ      縦リブ
Ｃ      中空部
Ｎ，Ｎ１      ねじ
Ｂ      貫通ボルト
【図１】
0006449686.tif 000002
【図２】
0006449686.tif 000003
【図３】
0006449686.tif 000004
【図４】
0006449686.tif 000005
【図５】
0006449686.tif 000006
【図６】
0006449686.tif 000007